(57)【要約】      （修正有）【課題】スリッパ等の履物をハンガー等に吊り下げて展示する場合において、履物を幅方向に多く並べることができる吊り下げ具を提供する。【解決手段】吊り下げ具１は、上下方向Ａに延びる上方部分１３と下方部分１４からなる第１帯状部材と横方向Ｂに延びる第２帯状部材１２とを有する。第１帯状部材の上方部分にはハンガーに対する係止部１６が形成される。第１帯状部材は、一足の履物の前後方向を上下方向に向けた状態でハンガーへの着脱が可能に形成される。第１帯状部材の下方部分は、一足の履物の一部分を下方から支えることができるように上方に向かって折り曲げ可能な状態および折り曲げられた状態のいずれかの状態にある。第２帯状部材は、一足の履物のうちの少なくとも片方を横方向において一周して、端部どうしが重なり合う長さを有する。【選択図】図４
0003222940.tif 000002
【実用新案登録請求の範囲】
【請求項１】
少なくとも一足の履物を吊り下げることができるように用意されたハンガーに対して着脱可能な係止部を有する前記一足の履物のための吊り下げ具であって、
前記吊り下げ具は、上下方向に延びた第１帯状部材と、前記上下方向に交差する横方向へ延びた第２帯状部材とを有し、
前記第１帯状部材は前記一足の履物の前後方向が前記上下方向に向いた状態で前記ハンガーへの着脱が可能に形成されていて、前記第１帯状部材の上方部分には前記係止部が形成され、前記第１帯状部材の下方部分は、前記一足の履物の一部分を前記上下方向の下方から支えることができるように折り曲げ可能な状態および折り曲げられた状態のいずれかの状態にあり、
前記第２帯状部材は、前記一足の履物のうちの少なくとも片方を前記横方向において一周して、両端部どうしが重なり合うだけの長さを有していることを特徴とする前記吊り下げ具。
【請求項２】
前記第１帯状部材は、前記上下方向の上方から下方に向かって二股に分かれている上方部材と下方部材とのそれぞれを有し、前記下方部材は前記二股に分かれている頂部が前記二股に分かれている前記上方部材の内側へ進入可能に形成されている請求項１記載の吊り下げ具。
【請求項３】
前記下方部材は、前記一足の履物の片方において、前記履物を前記上下方向で一周して両端部どうしが重なり合うだけの長さを有している請求項２記載の吊り下げ具。
【請求項４】
前記第１帯状部材と前記第２帯状部材、および前記第１帯状部材における前記上方部材と前記下方部材とは、粘着性材料を介して互いに接合可能なものである請求項２または３に記載の吊り下げ具。
【請求項５】
前記一足の履物がスリッパ、ルームシューズ、バレエ用シューズ、運動靴、スニーカーのいずれかである請求項１−４のいずれかに記載の吊り下げ具。
【請求項６】
請求項１−５のいずれか一項に記載の吊り下げ具に取り付けられて前記ハンガーへの吊り下げが可能な状態にあることを特徴とする一足の履物。
【請求項７】
前記一足の履物がスリッパ、ルームシューズ、バレエ用シューズ、スニーカーおよびテニスシューズを含む運動靴のいずれかである請求項６記載の一足の履物。
【考案の詳細な説明】
【技術分野】
【０００１】
この考案は、スリッパ等の履物を陳列するために使用するのに好適な吊り下げ具と、その吊り下げ具が使用してある履物とに関する。
【背景技術】
【０００２】
スリッパやルームシューズ等の履物を商品として陳列しようとするときに、一足ずつを一組にして陳列することはよく知られている。
【０００３】
例えば、特許文献１に開示された履物用吊下具では、側面視がほぼＬ字状の本体にサンダル等の左右で一組となる履物が横並びの状態で載置される。本体は、その頂部に形成されたフックをハンガースタンド等におけるパイプに吊り下げることができる。
【０００４】
また、特許文献２に記載の靴用ハンガーは、フック部と狭持部材とを有する。このハンガーでは、横並びに置いた一足の靴の後革を狭持部材によって狭持し、狭持部材から上方に延びている狭持部材をロープ等に係止する。
【０００５】
特許部材３に開示されたディスプレイ用ハンガーは、引っ掛け部を有するハンガー本体部と、ハンガー本体部の下部両側から上方に向かって突設された一対のガイド部材とを有する。スリッパやサンダル等の一足の履物は、片方ずつの履き込み口に挿入したガイド部材によって支えられる。ハンガー本体部は、引っ掛け部をハンガー等の引っ掛け手段に引っ掛けて吊している。
【０００６】
また、スリッパの展示方法の一つとして、一足のスリッパの片方のヒール部をもう一方の履き込み口に挿入して一足のスリッパを一体化させて展示する方法はよく知られている。
【先行技術文献】
【特許文献】
【０００７】
【特許文献１】特開２００６−３４８４７号公報
【特許文献２】特開平８−２２４１５６号公報
【特許文献３】特開２００６−１２２４２１号公報
【考案の開示】
【考案が解決しようとする課題】
【０００８】
特許文献１−３に記載の従来技術は、一足の履物を横並びの状態にしてハンガー等から吊り下げるための装置、方法を開示するものであるから、履物を展示すべき場所の空間を利用することができても、履物はその横方向において多くを並べることができないという場合がある。
【０００９】
一方、一足の履物において、片方のヒール部をもう一方の履き込み口に挿入して一足の履物を一体化すれば、履物をその横方向において多く並べることができる。しかし、縦方向においてはそのように一体化してある履物を積み重ねなければならず、下積みになった履物は取り出しにくくなる。
【００１０】
そこで、この考案では、スリッパ等の履物をハンガー等に吊り下げて展示する場合においても、その履物を幅方向に多く並べることができるように改良された吊り下げ具の提供を課題にしている。
【課題を解決するための手段】
【００１１】
前記課題を解決するための本願に係る第１考案が対象とするのは、少なくとも一足の履物を吊り下げることができるように用意されたハンガーに対して着脱可能な係止部を有する前記一足の履物のための吊り下げ具である。
【００１２】
本願に係る第１考案が特徴とするところは、前記吊り下げ具は、上下方向に延びた第１帯状部材と、前記上下方向に交差する横方向へ延びた第２帯状部材とを有し、前記第１帯状部材は前記一足の履物の前後方向が前記上下方向に向いた状態で前記ハンガーへの着脱が可能に形成されていて、前記第１帯状部材の上方部分には前記係止部が形成され、前記第１帯状部材の下方部分は、前記一足の履物の一部分を前記上下方向の下方から支えることができるように折り曲げ可能な状態および折り曲げられた状態のいずれかの状態にあり、前記第２帯状部材は、前記一足の履物のうちの少なくとも片方を前記横方向において一周して、両端部どうしが重なり合うだけの長さを有していることにある。
【００１３】
本願の第１考案に係る吊り下げ具は、以下の実施の態様を含む。
（１）前記第１帯状部材は、前記上下方向の上方から下方に向かって二股に分かれている上方部材と下方部材とのそれぞれを有し、前記下方部材は前記二股に分かれている頂部が前記二股に分かれている前記上方部材の内側へ進入可能に形成されている。
（２）前記下方部材は、前記一足の履物の片方において、前記履物を前記上下方向で一周して両端部どうしが重なり合うだけの長さを有している。
（３）前記第１帯状部材と前記第２帯状部材、および前記第１帯状部材における前記上方部材と前記下方部材とは、粘着性材料を介して互いに接合可能なものである。
（４）前記一足の履物がスリッパ、ルームシューズ、バレエ用シューズ、運動靴、スニーカーのいずれかである。
【００１４】
本願の第２考案は、吊り下げ具に取り付けられて前記ハンガーへの吊り下げが可能な状態にあることを特徴とする一足の履物に関する。
【００１５】
本願の第２考案に係る履物は、以下の実施の態様を含む。
（１）前記一足の履物がスリッパ、ルームシューズ、バレエ用シューズ、スニーカーおよびテニスシューズを含む運動靴のいずれかである。
【考案の効果】
【００１６】
本願に係る吊り下げ具は、上下方向に延びた第１帯状部材の上方部分に係止部材が形成されていることによって、履物を吊り下げるために用意されたハンガー等の支持具に吊り下げることができる。この吊り下げ具を甲部が開口している前開きタイプの履物に使用すると、第１帯状部材の下方部分は、それを甲部が作る足の挿入部に通して、その下方部分を上方に向かって折り返すと、前後方向を上下方向に向けてある一足の履物のうちの一方の履物を下方から支えることができる。横方向に延びている第２帯状部材は、第１帯状部材が支えている履物に巻き付けることによって、第１帯状部材を履物に固定することができる。一足の履物のうちのもう一方は、第１帯状部材の上方部分をその履物の履き込み口に挿入して、その履物をもう一方の履物に重ねることで一足の履物を重なりあった状態でハンガーに吊り下げることができる。このような状態にある吊り下げ具を横並びにすれば、履物を展示するスペースに比較的多くの履物を展示することができる。
【図面の簡単な説明】
【００１７】
【図１】（ａ）吊り下げ具の使用状態における正面図、（ｂ）吊り下げ具の側面図。
【図２】吊り下げ具の分解組立図。
【図３】吊り下げ具の組み立て手順を示す図。
【図４】吊り下げ具に履物を取り付けるときの手順を示す図。
【図５】図１のＶ−Ｖ線断面図とその部分拡大図。
【考案を実施するための形態】
【００１８】
図面を参照して本願の実施態様を説明すると、以下のとおりである。
図１は、本願に係る吊り下げ具１の使用態様を示す図であって、（ａ）は正面図、（ｂ）は側面図である。図１の（ａ），（ｂ）では、吊り下げ具１を使用して、一足の履物の一例である一足のスリッパ５ａ，５ｂが壁面２から延びるハンガー３に吊り下げられている。一足のスリッパ５ａ，５ｂは、前開き型のものであって、一方のスリッパ５ａのヒール部６がもう一方のスリッパ５ｂの甲部７の内側に挿入された状態で重なり合っている。図１（ａ）では、このように吊り下げられている二足のスリッパ５，５’が横並びになっている。
【００１９】
図２は、吊り下げ具１の分解組立図である。吊り下げ具１は、図１，２において上下方向Ａへ延びる第１帯状部材１１と、上下方向Ａに直交して横方向Ｂへ延びる第２帯状部材１２とを有する。
【００２０】
図２において、第１帯状部材１１は、上方部分を形成する上方部材１３と、下方部分を形成する下方部材１４とで形成されている。上方部材１３は、ハンガー３に着脱可能な係止部が係止部材１６として形成されていて、その係止部材１６が取り付けられている頂部１７と、頂部１７から上下方向Ａの下方に向かって二股に分かれて延びる第１脚部１８と第２脚部１９とを有する。第１，第２脚部１８，１９それぞれの外面には粘着性の第１テープ片２０が取り付けられている。下方部材１４は、頂部２１と頂部２１から二股に分かれて垂下する第１垂下部２２と第２垂下部２３とを有する。
【００２１】
第２帯状部材１２は、一様な幅Ｗで横方向Ｂへ延びていて、横方向Ｂにおけるほぼ中央には粘着性の第２テープ片２６が取り付けられている。
【００２２】
図３は、吊り下げ具１の組み立ての手順を示す図である。図３において、第２帯状部材１２は、第２テープ片２６を使用して、下方部材１４の第２垂下部２３における外面の所要部位に取り付けられる。下方部材１４における第１垂下部２２と第２垂下部２３との間には、一足のスリッパ５のうちの一方であるスリッパ５ａ（図１（ａ）参照）のヒール部６が矢印２７で示すように、上下方向Ａの下方から挿入されて、頂部２１の下面に達する（後記図４参照）。一方のスリッパ５ａがこのように挿入されると、第１垂下部２２は下端部分２８が図示の如く上方に向かって折曲され、下端部分２８に取り付けられている粘着性の第３テープ片２９を使用して、第２垂下部２３に対して固定される（後記図５参照）。
【００２３】
図４は、図３に示された手順に続く組み立て方の手順を示す図であるが、吊り下げ具１に一方のスリッパ５ａともう一方のスリッパ５ｂとを取り付ける手順をも示している。図３において、折曲された第１垂下部２２の下端部分２８が第２垂下部２３に対して固定されると、第２帯状部材１２の両端部分３１，３２がスリッパ５ａに巻き付けられるように折曲されて重なり合う両端部分３１，３２どうしが粘着性の第４テープ片３４によって固定される。第２帯状部材１２は、このように一足の履物５のうちの少なくとも一方のスリッパ５ａを横方向Ｂにおいて一周して、両端部分３１，３２が互いに重なり合うだけの長さを有している。
【００２４】
次いで、仮想線で示されている上方部材１３の第１脚部１８と第２脚部１９のそれぞれが一方のスリッパ５ａのヒール部６を挟んで下方部材１４の第１垂下部２２と第２垂下部２３とのそれぞれに重なるとともに、ヒール部６に巻き付けられている第２帯状部材１２とも重なるようにセットされ、粘着性の第１テープ片２０によって第２帯状部材１２に対して固定される（後記図５を併せて参照）。
【００２５】
さらに図４において、もう一方のスリッパ５ｂは、図示の如くヒール部６を上下方向Ａの下方に向けて、すなわち矢印３６で示す方向へ動かして、甲部７と底部８とで作る履き込み口４０へ吊り下げ具１の上方部材１３とスリッパ５ａのヒール部６とを進入させる。
【００２６】
そのようにして吊り下げ具１に取り付けられるスリッパ５ａと５ｂ、すなわち一足のスリッパ５は、図１（ａ），（ｂ）に示す状態のものとなる。図１（ａ），（ｂ）の上下方向Ａでは、一方のスリッパ５ａが第１帯状部材１１における係止部材１６を介してハンガー３に吊り下げられ、もう一方のスリッパ５ｂは、その甲部７が一方のスリッパ５ａの甲部７に上方から当接して一方のスリッパ５ａによって下から支えられる。第１帯状部材１１は、上下方向Ａにおいて一列をなすように並び（図４参照）、上方部材１３がもう一方のスリッパ５ｂにおいて甲部７が作る前側の開口３８から延出して係止部材１６のハンガー３に対する係止が可能になる。第１帯状部材１１のうちの下方部材１４は、横方向Ｂにおいてスリッパ５ａを一周している第２帯状部材１２に対して第２テープ片２６によって固定された状態にあるから、スリッパ５ａから外れることがない。また、第１帯状部材１１のうちの上方部材１３は、粘着性の第１テープ片２０を介して第２帯状部材１２に対して固定されているから、スリッパ５ａから外れることがない。
【００２７】
図５は、図１のＶ−Ｖ線断面図と、その断面図の部分拡大図であって、一方のスリッパ５ａに対する第１，第２帯状部材１１，１２の取り付け状態を示している。ただし、図５において、もう一方のスリッパ５ｂは、仮想線で示されている。第１帯状部材１１の下方部材１４は、一方のスリッパ５ａの底部９と中敷き部３７とに接しながら、上下方向Ａにおいてスリッパ５ａを一周し、第１垂下部２２の下端部分２８が上方に向かって折り返されて第２垂下部２３に重なるとともに、第３テープ片２９によって第２垂下部２３に対して固定されている。第２帯状部材１２は、第１，第２垂下部２２，２３に重なった状態で、ヒール部６またはその近傍において、一方のスリッパ５ａに巻き付けられていて、重なり合う両端部分３１，３２は、互いに動くことがないように第４テープ片３４（図４参照）によって留められている。第１帯状部材１１の上方部材１３は、第１，第２脚部１８，１９の下端部分が第２帯状部材１２に重なるとともに第１テープ片２０によって第２帯状部材１２に対して固定されている。
【００２８】
このような状態にある吊り下げ具１は、一方のスリッパ５ａから簡単に外れることがない。また、第１帯状部材１１の上方部材１３は、もう一方のスリッパ５ｂの甲部７が作る足の挿入部４０（図４参照）を貫通しているから、図１におけるように吊り下げてある一足のスリッパ５において、もう一方のスリッパ５ｂが吊り下げ具１から外れるということもない。しかし、スリッパ５を試しに履いてみたいときには、吊り下げ具１をハンガー３から外して、吊り下げ具１と一体の一方のスリッパ５ａをもう一方のスリッパ５ｂから抜き取るようにして外せば、そのもう一方のスリッパ５ｂを履いてみることができる。また、一足のスリッパ５は、一方のスリッパ５ａともう一方のスリッパ５ｂとが図１（ｂ）に示されるように互いに重なり合う状態で展示されるから、一方のスリッパ５ａともう一方のスリッパ５ｂとを横並びにして一足のスリッパ５を展示する場合に比べると、横方向において多くのスペースを必要とすることがなく、展示場において多くのスリッパを横方向に並べて展示することができる。
【００２９】
本願において、図示例の粘着性の第１〜第４テープ片には、片面粘着テープや両面粘着テープを適宜の長さに切って使用することができる。また、第１〜第４テープ片は、必要に応じてホチキス等の機械的接合手段に替えることもできる。さらにはまた、第１〜第４テープ片に替えて、粘着剤や接着剤を一例とする接合材料を使用することもできる。
【００３０】
本願においてはまた、第１，第２帯状部材１１，１２の素材として、プラスチック製のシートやフィルム、紙などを使用することができる。第１帯状部材１１のうちの下方部材１４と第２帯状部材１２とは、それらを一体のものとしてフィルムや紙から切り取ることもできる。第１帯状部材１１の下方部分を形成している下方部材１４における下端部分２８は、図示例の如く上方に向かって折曲可能であるが、下方部材１４は、下端部分２８が上方に向かって予め折曲された状態で吊り下げ具１の使用者に供給されてもよいものである。
【００３１】
本願が対象とする履物は、図示例の如き一足のスリッパに限られるわけではない。ルームシューズやバレエ用シューズ、運動靴、スニーカー等であって、前開きタイプである履物においても本願を実施することができる。
【産業上の利用可能性】
【００３２】
本願に係る吊り下げ具は、一足のスリッパを一例とする一足の履物を互いに重ねて吊り下げることができるから、履物の横方向において、一度に多くの履物を展示することができる。
【符号の説明】
【００３３】
１      吊り下げ具
３      ハンガー
５      一足のスリッパ（履物）
１１    第１帯状部材
１２    第２帯状部材
１６    係止部材
Ａ      上下方向
Ｂ      横方向
【図１】
0003222940.tif 000003
【図２】
0003222940.tif 000004
【図３】
0003222940.tif 000005
【図４】
0003222940.tif 000006
【図５】
0003222940.tif 000007